(57)【要約】      （修正有）【課題】折畳み収納できる鋸において、鋸の使用時と収納時の鋸身の出入操作を片手で、然も指で簡単に行うことができると共に、鋸の使用時には確りと鋸身を保持して安定した切断作業ができる折畳み鋸の提供を課題とする。【解決手段】握り柄体１０に対して折畳み収納自在に枢支された鋸身５０を有する折畳み鋸であって、前記鋸身５０には枢支部４０より基端側に掛止用片５１を形成し、前記握り柄体１０には前記掛止用片５１を受け入れる受け溝２０を形成し、該受け溝２０には前記掛止用片５１を弾性変形させながら摺動案内して掛け止める掛止ガイド縁２１を設けた。【選択図】図２
0003142263.tif 000002
【実用新案登録請求の範囲】
【請求項１】
握り柄体に対して折畳み収納自在に枢支された鋸身を有する折畳み鋸であって、前記鋸身には枢支部より基端側に掛止用片を形成し、前記握り柄体には前記掛止用片を受け入れる受け溝を形成し、該受け溝には前記掛止用片を弾性変形させながら摺動案内して掛け止める掛止ガイド縁を設けたことを特徴とする折畳み鋸。
【請求項２】
掛止用片に、掛止ガイド縁に対して掛止用片を掛け止め操作又は掛け外し操作をするための掛脱操作部を設けたことを特徴とする請求項１に記載の折畳み鋸。
【請求項３】
掛脱操作部は、掛止用片の後端に設けた操作ボタンからなり、該操作ボタンを指で回動操作させることにより前記掛止用片を受け溝に進入させると共に、前記操作ボタンを指で側方に押動操作させることにより前記掛止用片を前記掛止ガイド縁から外す構成としたことを特徴とする請求項１又は２に記載の折畳み鋸。
【請求項４】
握り柄体には、掛止ガイド縁の後方に操作ボタンを受け入れて保持する操作ボタン受止部を形成したことを特徴とする請求項１〜３に記載の折畳み鋸。
【考案の詳細な説明】
【技術分野】
【０００１】
本考案は折畳み鋸に関する。
【背景技術】
【０００２】
従来の折畳み鋸は、鋸身と柄とをネジで取り付け、鋸身を定着させるためにバネを内設した掛止部材を用いたものが広く使用されている。
一方、実開平５−７０９０１号公報には、鋸替刃（１）を着脱ならびに回動可能に挟持する鋸ホルダ（２）に設けられたスライドノブ（５）を操作することにより、収納時には鋸ホルダ（２）内のばね（１１）の付勢力に抗して折畳んだ鋸替刃（１）をラッチ（９）によって掛け止めて、その掛け止めを該ラッチ（９）に連結されたスライドノブ（５）でロックし、使用時にはスライドノブ（５）のロックを外すことでラッチ（９）による掛け止めが外れて、ばね（１１）の付勢力によって鋸替刃（１）が撥ね上がって鋸を使用することができる回動式折畳み鋸が提供されている（特許文献１）。
また特開平７−２３７２０１号公報には、鋸刃（３）が支軸（６）により柄部（１）に回動自在に軸支され、鋸刃（３）の後部上縁には切欠部（１８）が形成され、柄部（１）の先端上部に前底部に係合ピン（１７）を設けた押圧レバー（１４）を枢支し、その押圧レバー（１４）の後部に板ばね（１６）を設けることで、板ばね（１６）の弾発によって押圧レバー（１４）が下降して、係合ピン（１７）と切欠部（１８）とが係合して定着する替刃式折畳み鋸が提供されている（特許文献２）。
また特開２０００−４３００２号公報には、底面に収納溝（２１１）を有する握り柄の先端部分に二つ折りされた装着金（２２）が設けられ、薄い鋸の替え刃を取り付けられると共に、替え刃の後端上部にロック凹部（１２）と軸孔部（１１）を切欠し、装着金（２２）の上部にロック凹部（１２）に掛止して定着させるロック体（２３）を取り付け、枢支する装着ネジ（２４）に替え刃の軸孔部（１１）を挿入して折り畳みができる折り畳み式替え刃鋸が提供されている（特許文献３）。
【特許文献１】実開平５−７０９０１号公報
【特許文献２】特開平７−２３７２０１号公報
【特許文献３】特開２０００−４３００２号公報
【考案の開示】
【考案が解決しようとする課題】
【０００３】
上記従来の折畳み鋸の場合は、掛止部材等の部材の製造コストや、柄に取り付ける手間による製作コストに問題があった。
また特許文献１に示す撥ね上がり回動式折畳み鋸の場合、使用時にはスライドノブを引くだけで、鋸替刃を撥ね上らさせて使用でき、使用後も鋸替刃を折畳みながら継柄に近づけることで、ばねの逆弾発でしまい込みができる便利さがあるが、ジャックナイフ同様、鋸替刃の使用時の展開や収納時に危険を孕むと共に、鋸ホルダの内部構造が複雑で部材も多くいることから製作コストがかかる問題がある。
また特許文献２に示す替刃式折畳み鋸の場合、押圧レバーを押すだけで鋸刃の切欠部と係合ピンとの係合が外れ、簡単に折り畳み収納できる便利さがあるが、使用時の鋸刃の引き出しと折り畳みには両手を必要とする問題がある。
また特許文献３に示す折り畳み式替え刃鋸の場合、前記特許文献２と全く同様の問題があった。
【０００４】
そこで本考案は上記従来技術の問題を解消し、折畳み収納できる鋸において、鋸の使用時と収納時の鋸身の出入操作を、片手で、然も指で簡単に行うことができると共に、使用時には確りと鋸身を保持して安定した切断作業ができる折畳み鋸の提供を課題とする。
【課題を解決するための手段】
【０００５】
上記課題を達成するため本考案の折畳み鋸は、握り柄体に対して折畳み収納自在に枢支された鋸身を有する折畳み鋸であって、前記鋸身には枢支部より基端側に掛止用片を形成し、前記握り柄体には前記掛止用片を受け入れる受け溝を形成し、該受け溝には前記掛止用片を弾性変形させながら摺動案内して掛け止める掛止ガイド縁を設けたことを第１の特徴としている。
また本考案の折畳み鋸は、上記第１の特徴に加えて、掛止用片に、掛止ガイド縁に対して掛止用片を掛け止め操作又は掛け外し操作をするための掛脱操作部を設けたことを第２の特徴としている。
また本考案の折畳み鋸は、上記第１又は第２の特徴に加えて、掛脱操作部は、掛止用片の後端に設けた操作ボタンからなり、該操作ボタンを指で回動操作させることにより前記掛止用片を受け溝に進入させると共に、前記操作ボタンを指で側方に押動操作させることにより前記掛止用片を掛止ガイド縁から外す構成としたことを第３特徴としている。
また本考案の折畳み鋸は、上記第１〜第３の何れかの特徴に加えて、握り柄体には、掛止ガイド縁の後方に操作ボタンを受け入れて保持する操作ボタン受止部を形成したことを第４特徴としている。
【考案の効果】
【０００６】
請求項１に記載の折畳み鋸によれば、握り柄体に対して折畳み収納自在に枢支された鋸身を有する折畳み鋸であって、前記鋸身には枢支部より基端側に掛止用片を形成し、前記握り柄体には前記掛止用片を受け入れる受け溝を形成し、該受け溝には前記掛止用片を弾性変形させながら摺動案内して掛け止める掛止ガイド縁を設けたので、
前記掛止用片は掛止ガイド縁によって弾性変形されながら案内され、前記掛止ガイド縁の末端を越えたところで弾性復帰しながら受け溝に進入する。これによって、前記掛止用片は掛止ガイド縁の下面側に入り込んで掛け止めがなされる。掛止用片が掛止ガイド縁に掛け止めされることにより、鋸身の下方向への回動を制止することができる。
また鋸身を固定させるための掛止部材を、別途設ける必要がないため、製造での作業工程とコスト面において軽減ができる。
【０００７】
また請求項２に記載の折畳み鋸によれば、請求項１に記載の構成による作用効果に加えて、掛止用片に、掛止ガイド縁に対して掛止用片を掛け止め操作又は掛け外し操作をするための掛脱操作部を設けたので、
前記掛脱操作部を利用することによって、前記掛止用片の掛止ガイド縁に対する掛け止め、掛け外しを簡単に行うことができる。
【０００８】
また請求項３に記載の折畳み鋸によれば、請求項１又は２に記載の構成による作用効果に加えて、掛脱操作部は、掛止用片の後端に設けた操作ボタンからなり、該操作ボタンを指で回動操作させることにより前記掛止用片を受け溝に進入させると共に、前記操作ボタンを指で側方に押動操作させることにより前記掛止用片を掛止ガイド縁から外す構成としたので、
片手で握り柄体を握りつつ、前記操作ボタンを指で操作するだけで、簡単に前記掛止用片を受け溝に進入させることができると共に、前記操作ボタンを指で側方へ押動操作するだけで、簡単に掛止用片を掛止ガイド縁から外すことができる。
【０００９】
また請求項４に記載の折畳み鋸によれば、請求項１〜３に記載の構成による作用効果に加えて、握り柄体には、掛止ガイド縁の後方に操作ボタンを受け入れて保持する操作ボタン受止部を形成したので、
前記操作ボタンが前記握り柄部に形成された前記操作ボタン受止部に受け止められるので、前記鋸身の上方向へのそれ以上の回動を制止して、保持することができる。
【考案を実施するための最良の形態】
【００１０】
以下の図面を参照して、本考案の実施形態に係る折畳み鋸について説明する。
図１は本考案の実施形態に係る折畳み鋸の斜視図、図２は本考案の実施形態に係る折畳み鋸の平面図、図３は図２のＡ−Ａ断面図、図４は掛止ガイド縁に沿って弾性摺動する掛止用片を示す平面図、図５は操作ボタンを押して掛止用片を掛止ガイド縁から外す操作を説明する図、図６は本考案の実施形態に係る折畳み鋸の刃を収納した状態を示す側面図である。
【００１１】
図１、図２を参照して、本考案の折畳み鋸１は、握り柄体１０と、該握り柄体１０に対して折畳み収納自在に枢支された鋸身５０とで構成される。
【００１２】
前記握り柄体１０は、材質が金属製であって、逆Ｕ字形状に、一側壁１０ａと他側壁１０ｂと、その両側壁を上部で連続させる背部１０ｃとで構成されている。
握り柄体１０は、底部側に前記鋸身５０を収納できる鋸身収納部１１を形成している。
また握り柄体１０には、その背部１０ｃの先端に前記鋸身５０の末端を受け入れるための受け溝２０が形成され、該受け溝２０の後方に操作ボタン受止部３０が設けられている。
なお握り柄体１０の後端上部に設けられた孔は、該握り柄体１０に紐を通したり、或いは壁掛け等に用いるためのものである。
【００１３】
図３も参照して、鋸身５０は薄い鋼鉄板からなり、前部下縁に先端から基端に渡る刃部５０ａと、その基端部を延出して設けた掛止用片５１とで構成される。
【００１４】
掛止用片５１は、前記鋸身５０の後端から延出された矩形部５１ａと、該矩形部５１ａの末端に形成した円盤部５１ｂとで構成される。
掛止用片５１は、後述の掛止ガイド縁２１と掛止させて、鋸身５０の下方向への回動を制止させるためのものである。
また掛止用片５１には、その末端の前記円盤部５１ｂに掛脱操作部６０を設けている。
【００１５】
鋸身収納部１１は、前記握り柄体１０の底部側に形成され、前記鋸身５０の刃部５０ａ全体を収納することができる溝である。前記鋸身収納部１１の片側の壁面（本実施形態では一側壁１０ａ）には、前記鋸身５０を他方の壁面（本実施形態では他側壁１０ｂ）に寄せて取り付ける為の片寄せ突起部１２が設けられている。
また鋸身収納部１１には、前記握り柄体１０の先端下方となる一側壁１０ａと他側壁１０ｂの両側壁及び片寄せ突起１２を貫通する軸孔１１ａが形成されている。該軸孔１１ａは、後述する枢支部４０を構成するボルト４０ａを挿通する為の孔である。
【００１６】
図４も参照して、前記片寄せ突起部１２は、前記握り柄体１０の一側壁１０ａ側から他側壁１０ｂ側に突出させて形成している。片寄せ突起部１２には、その中心に前記軸孔１１ａが通り、該軸孔１１ａに後述するボルト４０ａが挿通されている。片寄せ突起部１２により、前記鋸身収納部１１内での前記鋸身５０の位置が、前記握り柄体１０の他側壁１０ｂ側に寄せられた状態になされる。これによって鋸身５０の掛止用片５１が後述の掛止ガイド縁２１によって案内される際に、掛止用片５１が弾性変形しながら摺動される。
【００１７】
受け溝２０は、前記握り柄体１０の背部１０ｃの先端から後方の前記操作ボタン受止部３０までに渡って、一部を切り欠いた状態で形成される。この受け溝２０は、前記鋸身５０の掛止用片５１を受け入れる為の溝である。
また受け溝２０には、前記握り柄体１０の他側壁１０ｂ側の上端に張り出して掛止ガイド縁２１が形成されている。該掛止ガイド縁２１の張り出しは、前記受け溝２０の先端から後方に向けて、その張り出し量が増加するようになされている。
【００１８】
前記掛止用片５１は前記掛止ガイド縁２１に沿って摺動案内された後、該掛止ガイド縁２１の末端を越えたところで受け溝２０に入り、且つ前記弾性変形が復帰されて掛止ガイド縁２１の下方に移動して掛止される。これにより掛止用片５１の上方向への動きが制止される。即ち、鋸身５０の、下方向へのそれ以上の回動が制止される。
【００１９】
前記操作ボタン受止部３０は、前記掛止用片５１の末端に設けられた後述する操作ボタン６１を受け止める為のもので、半円形の窪み３０ａで形成される。
前記窪み３０ａを、操作ボタン６１と同じ形状（本実施形態の場合は円形形状）とすることで、操作ボタン６１を受け止め易く、且つ確りと受け止めることができる。よって鋸身５０の、上方向へのそれ以上の回動が制止される。
【００２０】
枢支部４０は、ボルト４０ａと図示しないナットで構成される。
前記軸孔１１ａにボルト４０ａを挿通することにより、握り柄体１０と鋸身５０とが螺合され、枢支部４０によって前記鋸身５０が握り柄体１０に回動自在になされる。
【００２１】
掛脱操作部６０は、前記掛止用片５１の末端の円盤部５１ｂに両側から圧着して取り付けられた前記操作ボタン６１からなる。
操作ボタン６１は、短い円柱形状のものを水平方向姿勢で末端に取り付けている。また操作ボタン６１は、指で操作がし易いように、前記掛止ガイド縁２１側から少し突出するように構成している。即ち、受圧面が握り柄体１０から側方へ少し突出した形状としている。操作ボタン６１を円柱形状としたことで、掛止用片５１を掛止ガイド縁２１から外す際には円形端面が指の受圧面となり、掛止用片５１を受け溝２０へ進入させる際には円形側周面が指の受圧面となるので、指での押動操作がし易い。
その他、鋸身１０を鋸身収納部１１から出して使用時の位置にする際に、手で前記操作ボタン６１を操作することで、容易に使用可能状態にできる。
なお本考案の実施形態では、操作ボタン６１を円柱形状としたが、これに限定されるものではない。四角柱等、他の形状のものにすることができるが、前記操作ボタン６１を受け止める前記操作ボタン受止部３０の受け面と同じ形状にすることが望ましい。
【００２２】
図５、図６を参照して、本考案の実施形態に係る折畳み鋸１の鋸身５０を使用時の位置に掛止させる操作を説明する。
片手で前記握り柄体１０を握りながら、握り柄体１０の鋸身収納部１１から引き出した鋸身５０を、前記掛脱操作部６０の操作ボタン６１の側周面に指を当接させて動かすと、前記片寄せ突起部１２によって片側に寄せられた鋸身５０の掛止用片５１が、掛止ガイド縁２０に沿って弾性変形しながら摺動案内される。前記掛止用片５１は、前記掛止ガイド縁２０の末端を越えたところで弾性復帰しながら受け溝２０に進入し、掛止ガイド縁２０の下面側に入り込んで掛止される。同時に、掛脱操作部６０の操作ボタン６１が操作ボタン受止部３０に受け止められる。これによって鋸身５０は上方向へも下方向へも回動が制止され、使用時の位置に確りと保持することができる。よって安定した切断作業を行うことができる。
【００２３】
次に本考案の実施形態に係る折畳み鋸１の鋸身５０を折畳んで収納する操作を説明する。
片手で前記握り柄体１０を握りながら、前記掛脱操作部６０の操作ボタン６１の円形端面に指を当接させて側方へ押動させると、前記掛止用片５１が前記掛止ガイド縁２１から外れ、即ち掛止用片５１と掛止ガイド縁２１による掛け止めが外れ、鋸身５０を下方向へ回動させることができるようになる。下方向に回動させて折畳んだ鋸身５０は、握り柄体１０の鋸身収納部１１の中に収納される。
【００２４】
以上のような構成とすることで、掛止用の部材を別途設けることなく、簡単な構造で安全に使用することができる。
【図面の簡単な説明】
【００２５】
【図１】本考案の実施形態に係る折畳み鋸の斜視図である。
【図２】本考案の実施形態に係る折畳み鋸の平面図である。
【図３】図２のＡ−Ａ断面図である。
【図４】掛止ガイド縁に沿って弾性摺動する掛止用片を示す平面図である。
【図５】操作ボタンを押して掛止用片を掛止ガイド縁から外す操作を説明する図である。
【図６】本考案の実施形態に係る折畳み鋸の刃を収納した状態を示す側面図である。
【符号の説明】
【００２６】
１        折畳み鋸
１０      握り柄体
１０ａ    一側壁
１０ｂ    他側壁
１０ｃ    背部
１１      鋸身収納部
１１ａ    軸孔
１２      片寄せ突起部
２０      受け溝
２１      掛止ガイド縁
３０      操作ボタン受止部
３０ａ    半円形の窪み
４０      枢支部
４０ａ    ボルト
５０      鋸身
５０ａ    刃部
５１      掛止用片
５１ａ    矩形部
５１ｂ    円盤部
６０      掛脱操作部
６１      操作ボタン
【図１】
0003142263.tif 000003
【図２】
0003142263.tif 000004
【図３】
0003142263.tif 000005
【図４】
0003142263.tif 000006
【図５】
0003142263.tif 000007
【図６】
0003142263.tif 000008